(57)【要約】【課題】本発明は、紙や樹脂性シート等の被カッティング対象物のカッティングの際、定規がずれることを防止することが可能なカッティングマットを提供することを目的とするのもである。【解決手段】本発明は、カッティングマットの周辺部に、定規の位置合わせ用の補助具を着脱可能に配置するための開口を複数設け、ここに配置された補助具に定規を当接させることにより、定規の位置合わせと固定を可能として、定規の位置ずれを防止するものである。【選択図】    図１
2015020247.tif 000002
【特許請求の範囲】
【請求項１】
被カッティング対象物を配置する四角形状の樹脂性マット部と、このマット部の周辺に着脱可能な定規位置合わせ用補助具とからなるカッティングマット。
【請求項２】
前記マット部の４辺の端部付近に、前記補助具を配置固定する開口を複数有することを特徴とする請求項１項記載のカッティングマット。
【請求項３】
前記マット部の表面に設けられた縦、横の罫線を有し、前記複数の開口は、この罫線に平行に定規を配置可能とするように設けられていることを特徴とする請求項２項記載のカッティングマット。
【請求項４】
定規を斜めに配置してカッティングができるように、前記補助具を配置可能とし、またこの斜めに配置した定規に沿った斜めの罫線が設けられていることを特徴とする請求項３項記載のカッティングマット。
【発明の詳細な説明】
【技術分野】
【０００１】
本発明は、カッティングマットに関するものであり、特に、カッティング中に定規がずれにくいカッティングマットに関するものである。
【背景技術】
【０００２】
紙や樹脂フィルムなどをカッターでカッティングする際、机やテーブルの保護のためにカッティングマットが用いられている。
このカッティングマットは、カッターによるカッティングに対して、耐性を有する塩化ビニルやオレフィン系の樹脂からなるマット本体に縦、横の罫線が印刷形成されたものである。
【０００３】
このようなカッティングマットを用いて、紙等をカッティングする際、切断線に沿って定規を配置し、この定規にカッターの刃の側面を当てて、カッティングを行う。
このカッティングのとき、紙面が滑らかな場合や、カッターに対して力を入れすぎた場合等に、定規がずれてしまうことがある。
特許文献１には、ガイド部が設けられた専用の定規を用いることが記載されている。また、特許文献２には、定規の端部を沿わせるガイド部を有するカッティングマットが記載されている。
これらの特許文献１、２の装置では定規がずれることは防止される。
【０００４】
【特許文献１】特開２００６−３４１３４５号
【特許文献２】実開平５−１６１９７号
【発明の開示】
【発明が解決しようとする課題】
【０００５】
上述の特許文献１のカッティングマットは、専用の定規を必要とするもので、通常の定規を用いることができない。また、定規の配置は限定されてしまうという問題がある。
特許文献２では、例えば斜めにカッティングする場合、複数の定規を組み合わせて用いる必要があり、面倒な作業となってしまう。また、上述の特許文献１と同様に、定規の配置は限定されてしまう。
【課題を解決するための手段】
【０００６】
本発明は、請求項１に記載するように、カッティングマットにおいて、被カッティング対象物を配置する四角形状の樹脂性マット部と、このマット部の周辺に着脱可能な定規位置合わせ用補助具とからなることを特徴としている。
また請求項２に記載するように、前記マット部の４辺の周辺に、前記補助具を配置する開口を複数有することを特徴としている。
また、請求項３に記載するように、前記マット部の表面には、縦方向、及び横方向の罫線を有し、前記複数の開口は、この罫線に平行に定規を配置可能とするように設けられていることを特徴としている。
また、請求項４に記載するように、定規を斜めに配置してカッティングができるように、前記補助具を配置可能とし、この斜めに配置した定規に沿った斜めの罫線がマット部に設けられていることを特徴としている。
【発明の効果】
【０００７】
本発明は、定規の位置合わせ用のガイドとして機能する補助具を、カッティングマットの周端部に、着脱可能に配置することを可能とすることによって、カッティング動作時の定規のずれを防止するものである。
【発明を実施するための最良の形態】
【０００８】
以下、本発明を実施するための最良の形態について、図面を参照して詳細に説明する。
【実施例】
【０００９】
以下、図に沿って本発明の一実施例を説明する。
図１は本発明の一実施例のカッティングマットの平面図である。
このカッティングマットは、紙や樹脂性フィルムなどの被カッティング対象物を配置するマット部１、このマット部１の表面に印刷形成された罫線２、マット部１の四方の周辺部に整列して設けられた複数の補助具用開口３、及びこの補助具用開口３に着脱可能に配置固定される定規の位置合わせ用補助具４とからなる。
【００１０】
尚、罫線２は、縦方向、及び横方向に複数設けられている。
また、補助具用開口３は、マット部１の上下、及び左右の周辺部付近に、複数整列して設けられているが、左右の補助具用開口は、縦方向は夫々の補助具用開口３が直線的に位置し、横方向は左右の補助具用開口３が水平に位置するように設けられている。
また、上下の補助具用開口３は、横方向は夫々の補助具用開口３が直線的に位置し、縦方向は上下の補助具用開口３が垂直に位置するように設けられている。
この図１では、補助具４は、マット部１の水平罫線に対して平行に配置固定されている。
【００１１】
図２に定規の位置合わせ用補助具４の側面図を示す。
補助具４は、補助具用開口とほぼ同じ直径の固定ピン部４１と、定規の側面に当接してガイドする円筒形状の本体部４２とで構成されている。
尚、円筒形状の本体４２の直径は、固定用ピン４１の直径よりも大きい。
【００１２】
図３に本実施例のカッティングマットを用いて、被カッティング対象物５のカッティングを行う状態を説明するための図を示す。
この実施例では、被カッティング対象物５は、カッティングマットに対して平行にカッティングするために、マット部１に平行に配置される。
補助具４も、マット部１の左右周辺に設けられている複数の補助具用開口３のうち、平行に配置された開口に配置固定されている。
この左右に配置された補助具４に、定規６が下側の側面が当接するように配置される。
この状態で、定規６を手で固定し、図示しないカッターで、被カッティング対象物５をカッティングする。
【００１３】
カッティング時の定規の位置ずれは、定規に当接するカッターによる圧力や、被カッティング対象物の表面が滑らかで、定規が滑りやすいことによるものである。したがって、補助具によって、定規を下支えすることにより定規の位置ずれは防止される。
【００１４】
第２の実施例のカッティングマットを図４に示す。
水平に置いたマット部１に対して、斜めに被カッティング対象物を配置して、斜めにカッティングするためのガイドラインとなる、斜め罫線７を設けている。
この斜め罫線７は直交する２つの方向のものが複数設けられている。
斜め罫線以外は図１乃至図３に示した第１の実施例と同様である。
【００１５】
この第２の実施例では、補助具４は、左周辺部の下端部に設けられた補助具用開口３と、上周辺部の右隅に設けられた補助具用開口３に配置固定されている。
この補助具４に当接するように図示しない定規を配置して、被カッティング対象物をカッティングする。
【００１６】
第３の実施例のカッティングマットを図５に示す。
この実施例では、補助具用開口３は左右の上下端部に合計４つ設けられている。この実施例によっても、定規は左右水平に配置し、又は右上がり或いは右下がりに斜めに配置することが可能であり、被カッティング対象物をこれらの方向にカッティングすることが可能となる。
【００１７】
本発明は、上記実施例に限定されるものではなく、例えば、補助具用開口は四角形状の開口であってもよい。
また、上記実施例１と実施例２では、この補助具用開口は、左右に４対、上下に４対設けられ、実施例３では左右に２対設けられているが、これより多く、或いは少なくても良い。
また、補助具の形状も円筒形でなく、例えば四角柱形状であってもよい。
更に、罫線の形状も、上記実施例に限定されるものではない。
【産業上の利用可能性】
【００１８】
本発明は、定規の位置合わせ用補助具を用いることによって、カッティング動作のとき、定規がずれることがなくなり、確実かつ安全にカッティングを行うことを可能とするカッティングマットを提供するものである。
【図面の簡単な説明】
【００１９】
【図１】図１は、本発明の第１の実施例のカッティングマットを示す平面図である。
【図２】図２は、本発明の第１の実施例の補助具の側面図である。
【図３】図３は、本発明の第１の実施例のカッティング動作を説明するための図である。
【図４】図４は、本発明の第２の実施例のカッティングマットを示す平面図である。
【図５】図５は、本発明の第３の実施例のカッティングマットを示す平面図である。
【符号の説明】
【００２０】
１：マット部
３：補助具用開口部
４：補助具
【図１】
2015020247.tif 000003
【図２】
2015020247.tif 000004
【図３】
2015020247.tif 000005
【図４】
2015020247.tif 000006
【図５】
2015020247.tif 000007